(57)【特許請求の範囲】
【請求項１】
上部に開口が設けられ、上方から前記開口を通って落下してきた異物を収容するトレイと、
前記トレイの側面に設けられた返却口に設けられ、前記返却口の上部に設けられた第１の軸を中心として回動することによって開閉する返却口扉と、
前記開口の一端に設けられた第２の軸を中心として回動可能に設けられ、前記返却口扉が前記トレイの内側に回動して開かれた際に前記返却口扉に押されて上方向に回動して前記開口を塞ぐ返却口蓋と、
を備え、
前記返却口扉が前記トレイの内側に回動して開かれた際に前記トレイ内に堆積した異物が前記返却口蓋の上に押し戻されることを特徴とする、異物除去機構。
【請求項２】
前記返却口蓋は、前記第２の軸から先端までの長さが前記トレイ内の異物と干渉しない長さに設定されたことを特徴とする、請求項１に記載の異物除去機構。
【請求項３】
前記返却口蓋には、前記返却口扉に向かって突出する棒が設けられ、
前記返却口扉が前記第１の軸を中心として回動すると、前記返却口扉が前記棒を押すことによって、前記返却口蓋が回動することを特徴とする、請求項１に記載の異物除去機構。
【請求項４】
前記返却口扉には、前記返却口蓋に向かって突出する突起部が設けられ、前記返却口扉が前記第１の軸を中心として回動すると、前記突起部が前記棒を押すことによって、前記返却口蓋が回動することを特徴とする、請求項３に記載の異物除去機構。
【請求項５】
前記トレイの底面には、所定方向に延在する突起部が設けられたことを特徴とする、請求項１又は２に記載の異物除去機構。
【請求項６】
前記突起部の延在方向と直交する方向に沿った断面形状の上面は、上部に頂点を有する三角形の２辺から構成されることを特徴とする、請求項５に記載の異物除去機構。
【請求項７】
紙葉類が挿入される紙幣投入口と、
上部に開口が設けられ、前記紙幣投入口に異物が投入された際に、上方から前記開口を通って落下してきた異物を収容するトレイと、
前記トレイの側面に設けられた返却口に設けられ、前記返却口の上部に設けられた第１の軸を中心として回動することによって開閉する返却口扉と、
前記開口の一端に設けられた第２の軸を中心として回動可能に設けられ、前記返却口扉が前記トレイの内側に回動して開かれた際に前記返却口扉に押されて上方向に回動して前記開口を塞ぐ返却口蓋と、
を備え、
前記返却口扉が前記トレイの内側に回動して開かれた際に前記トレイ内に堆積した異物が前記返却口蓋の上に押し戻されることを特徴とする、紙葉類取扱装置。
【発明の詳細な説明】
【技術分野】
【０００１】
本発明は、異物除去機構及び紙葉類取扱装置に関する。
【背景技術】
【０００２】
従来、例えば下記の特許文献１には、自動販売機の釣銭等の返却口が開示されている。従来の異物（硬貨）返却口は、特許文献１の第２〜第６図に示されているように、上部に開口部１５が設けられた返却口基部１４と、返却口扉１９、軸２０から構成されている。そして、上部から異物としての硬貨Ｃが落下してくると、開口部１５から硬貨Ｃが返却口基部１４内に入り、返却口扉１９を開くことで硬貨Ｃを取ることができるようになっている。なお、以下では、硬貨Ｃなどの返却物を異物と称する。
【０００３】
この異物を取るときに、開口部１５から装置内に指が誤って入ると、異物除去者（硬貨Ｃを取り出す人）が怪我をする恐れがあるとともに、装置の故障につながる可能性がある。このため、特許文献１では、返却口扉１９を開けたときに、返却口扉１９が開口部１５に蓋をすることで、開口部１５から装置内へ指が入らないようしている。
【０００４】
また、特許文献２には、メダル返却装置に関する技術が記載されている。特許文献２では、図５に示されているように、揺動範囲規制部材９で返却蓋８の揺動範囲を規制することで、除去者の指が装置内に入らないようにしている。同様に、特許文献３に記載されたメダル返却装置においても、図５に示されているように、揺動規制部材９で返却蓋７の揺動範囲を規制することで、除去者の指が装置内に入らないようにしている。
【先行技術文献】
【特許文献】
【０００５】
【特許文献１】実公昭５８−１３４０６号公報
【特許文献２】特開２００７−２９３７９０号公報
【特許文献３】特開２００８−１９８１４４号公報
【発明の概要】
【発明が解決しようとする課題】
【０００６】
しかしながら、上記従来の技術では、限られた小さなスペース内に異物返却口を配置しようとすると、少ない容量の異物しか取り出すことができないという問題が生じる。
【０００７】
特許文献１の第２図〜第６図に示される返却口を例に挙げて説明すると、大量の異物が返却口基部１４に入ると、返却口扉１９を外側から押した際に、返却口扉１９が返却口基部１４内の異物に当たってしまい、返却口扉１９の開く量が少なくなってしまう。このため、少量の異物しか除去できなくなることや、返却口扉１９が開かなくなるといった状態が発生する。
【０００８】
また、取り出すことのできる異物の容量を大きくしようとすると、返却口基部１４の上部の開口部１５を大きくする必要がある。その一方、特許文献１の構成では返却口扉１９で開口部１５に蓋をする構成のため、開口部１５に指が入らないようにするためには、開口部１５を大きくしたことに伴って返却口扉１９も大きくする必要が生じる。このため、装置全体のスペースが増大してしまう問題があった。
【０００９】
また、特許文献２に記載された構成を例に挙げて説明すると、大量の異物がメダル収納部５に入ると、既に返却蓋８の揺動範囲は揺動範囲規制部材９で規制されているため、返却蓋８の開く量が少なく、取り出せる異物の量は少ない。このため、何度も返却蓋８の開閉を行って異物を取り出す必要が生じる。また、返却蓋８が揺動範囲規制部材９で規制されている範囲内で最大限に開いたとしても、返却蓋８の開き量は少ないため、異物を除去できなかったり、内部に溜まった異物により返却蓋８が開かない等の問題が生じてしまう。特許文献３に記載された技術においても、同様の問題が発生してしまう。
【００１０】
そこで、本発明は、上記問題に鑑みてなされたものであり、本発明の目的とするところは、指が装置内部に入ることを確実に抑止するとともに、限られたスペースの中で多量の異物を容易に取り出すことが可能な、新規かつ改良された異物除去機構及び紙葉類取扱装置を提供することにある。
【課題を解決するための手段】
【００１１】
上記課題を解決するために、本発明のある観点によれば、上部に開口が設けられ、上方から前記開口を通って落下してきた異物を収容するトレイと、前記トレイの側面に設けられた返却口に設けられ、前記返却口の上部に設けられた第１の軸を中心として回動することによって開閉する返却口扉と、前記開口の一端に設けられた第２の軸を中心として回動可能に設けられ、前記返却口扉が前記トレイの内側に回動して開かれた際に前記返却口扉に押されて上方向に回動して前記開口を塞ぐ返却口蓋と、を備える異物除去機構が提供される。
【００１２】
また、前記返却口蓋は、前記第２の軸から先端までの長さが前記トレイ内の異物と干渉しない長さに設定されたものであってもよい。
【００１３】
また、前記返却口蓋には、前記返却口扉に向かって突出する棒が設けられ、前記返却口扉が前記第１の軸を中心として回動すると、前記返却口扉が前記棒を押すことによって、前記返却口蓋が回動するものであってもよい。
【００１４】
また、前記返却口扉には、前記返却口蓋に向かって突出する突起部が設けられ、前記返却口扉が前記第１の軸を中心として回動すると、前記突起部が前記棒を押すことによって、前記返却口蓋が回動するものであってもよい。
【００１５】
また、前記トレイの底面には、所定方向に延在する突起部が設けられたものであってもよい。
【００１６】
また、前記突起部の延在方向と直交する方向に沿った断面形状の上面は、上部に頂点を有する三角形の２辺から構成されるものであってもよい。
【００１７】
また、上記課題を解決するために、本発明の別の観点によれば、紙葉類が挿入される紙幣投入口と、上部に開口が設けられ、前記紙幣投入口に異物が投入された際に、上方から前記開口を通って落下してきた異物を収容するトレイと、前記トレイの側面に設けられた返却口と、前記返却口を覆う扉であって、前記返却口の上部に設けられた第１の軸を中心として回動することによって開閉する返却口扉と、前記開口の一端に設けられた第２の軸を中心として回動可能に設けられ、前記返却口扉が前記トレイの内側に回動して開かれた際に前記返却口扉に押されて上方向に回動して前記開口を塞ぐ返却口蓋と、を備える紙葉類取扱装置が提供される。
【発明の効果】
【００１８】
本発明によれば、指が装置内部に入ることを確実に抑止するとともに、限られたスペースの中で多量の異物を容易に取り出すことが可能となる。
【図面の簡単な説明】
【００１９】
【図１】本発明の各実施形態に係る紙葉類取扱装置における異物除去機構の構成を示す模式図である。
【図２】第１の実施形態において、図１の一転鎖線Ｉ−Ｉ’に沿った断面を示す概略断面図である。
【図３】異物が異物返却口トレイ内に入った場合に、異物返却口扉を右側から指で押して、異物返却口扉を開けた状態を示す模式図である。
【図４】大量の異物が異物返却口ダクトから異物返却口トレイに落下してきた場合に、異物返却口扉を開けた状態を示す模式図である。
【図５】第２の実施形態に係る異物除去機構の構成を説明するための断面図である。
【図６】第１の実施形態において、異物返却口トレイ内に大量の異物が落下してきた場合を示す模式図である。
【図７】第３の実施形態の構成を示す模式図である。
【図８】第４の実施形態に係る異物除去機構の構成を示す模式図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
＜１．第１の実施形態＞
図１は、本発明の各実施形態に係る紙葉類取扱装置における異物除去機構１００の構成を示す模式図である。紙葉類取扱装置は、例えば銀行などに設置される現金自動預け払い機（ＡＴＭ：Automated Teller Machine）などの紙幣取扱装置である。異物除去機構１００は、紙葉類取扱装置の紙幣投入口に誤って異物（硬貨など）が投入された場合に、投与された異物を除去するための機構である。図１は、異物除去機構１００を斜め上方から見た斜視図を示している。図１に示すように、異物除去機構１００は、異物返却口扉１１０、異物返却口トレイ１１１、異物返却口蓋１１２、異物返却口蓋１１２を可動させるための棒１１３、揺動範囲規制部材１１４、異物返却口ダクト１１５、を備える。
【００２２】
紙葉類取扱装置は、入金などの際に紙幣が投入される紙幣投入口を備えている。紙幣投入口には、本来、紙幣のみが投入されるものであるが、誤って硬貨などの異物が投入されてしまう場合がある。本実施形態に係る紙幣取扱装置においては、紙幣投入口に誤って異物が投入されると、異物が紙幣から分別されて、異物返却口ダクト１１５に投入される。
【００２３】
図１に示すように、異物返却口トレイ１１１は、底面１１１ａと、底面１１１ａに対して鉛直方向に直立し、互いに対向するように平行に設けられた２つの側板部１１１ｂから構成されている。２つの側板部１１１ｂの上部を連結するようにして揺動範囲規制部材１１４が設けられている。異物返却口ダクト１１５は、異物返却口トレイ１１１の一端に設けられ、異物返却口トレイ１１１と接続されるように設けられている。異物返却口ダクト１１５は、上方に向かって開口幅が広がるようにダクト状に構成されている。異物返却口蓋１１２は、所定の中心軸１１２ａを中心として回動可能に構成されている。図１に示すように、中心軸１１２ａは、異物返却口ダクト１１５側に設けられている。異物返却口蓋１１２は、底面１１１ａの上面を一部覆い、中心軸１１２ａを中心として上方向（図１中の矢印Ａ１方向）に回動することができる。
【００２４】
また、異物返却口トレイ１１１に対して、異物返却口ダクト１１５が設けられた側の反対側には、異物返却口扉１１０が設けられている。異物返却口扉１１０は、中心軸１１０ａを中心として図１中の矢印Ａ２方向に回動可能に構成されている。
【００２５】
棒１１３は、異物返却口蓋１１２の上側の面に取り付けられている。異物返却口扉１１０が矢印Ａ２方向に回動すると、異物返却口扉１１０が棒１１３に当接する。そして、更に異物返却口扉１１０が矢印Ａ２方向に回動すると、異物返却口扉１１０が棒１１３を押して、異物返却口蓋１１２が矢印Ａ１方向に回動するように構成されている。
【００２６】
図２は、図１の一転鎖線Ｉ−Ｉ’に沿った断面を示す概略断面図である。図２に示すように、異物返却口トレイ１１１に対して、一方の側に異物返却口ダクト１１５が設けられ、他方の側に異物返却口扉１１０が設けられている。図２に示すように、異物返却口扉１１０には、扉突起部１１６が設けられている。また、図２に示すように、異物返却口扉１１０は、扉シャフト１１７を中心として回動可能とされている。扉シャフト１１７は、図１で説明した中心軸１１０ａに対応し、異物返却口扉１１０の回転中心となるシャフトである。また、異物返却口蓋１１２は、蓋シャフト１１８を中心として回動可能とされている。蓋シャフト１１８は、図１で説明した中心軸１１２ａに対応し、異物返却口蓋１１２の回転中心となるシャフトである。
【００２７】
図２に示す状態では、異物返却口蓋１１２が回動範囲内で最も下側に位置しているため、異物返却口ダクト１１５と異物返却口トレイ１１１は連通している。このため、異物が異物返却口ダクト１１５に入ると、異物は異物返却口ダクト１１５の開口１１９を通って異物返却口トレイ１１１内に入る。
【００２８】
図３は、異物１２０が異物返却口トレイ１１１内に入った場合に、異物返却口扉１１０を右側から指１２１で押して、異物返却口扉１１０を開けた状態を示す模式図である。図３に示すように、異物返却口扉１１０を外側から指１２１で押すと、異物返却口扉１１０が矢印Ａ２方向に回動し、扉突起部１１６が棒１１３に当接し、扉突起部１１６が棒１１３を押すことによって異物返却口蓋１１２が矢印Ａ１方向に回動する。
【００２９】
このように、異物返却口扉１１０を開くと、異物返却口扉１１０の扉突起部１１６が棒１１３を押すことによって、異物返却口蓋１１２が蓋シャフト１１８を中心に回動し、開口部１１９を閉じる。これにより、開口部１１９から指１２１などが入らないようにすることができる。また、異物返却口扉１１０が大きく開かれる場合は、棒１１３が揺動範囲規制部材１１４に当接する。棒１１３が揺動範囲規制部材１１４に当接すると、異物返却口蓋１１２の回動が停止する。従って、異物返却口蓋１１２の揺動範囲（回動範囲）を規制することができる。
【００３０】
以上のような構成によれば、異物返却口扉１１０を十分に小さくした場合であっても、、扉突起部１１６が棒１１３を押すことによって、異物返却口蓋１１２が開口部１１９を塞ぐことができる。従って、異物返却口扉１１０を大きくすることなく、開口部１１９を塞ぐことができ、装置内に指１２１などが入らないようにすることができる。また、揺動範囲も大きくすることができるため、異物返却口扉１１０が開くことができる量を十分に大きくすることができるため、図３の右側から異物１２０を取り易くすることができる。
【００３１】
図４は、大量の異物１２０が異物返却口ダクト１１５から異物返却口トレイ１１１に落下してきた場合に、異物返却口扉１１０を開けた状態を示す模式図である。この場合、異物返却口扉１１０を開くことによって、異物返却口トレイ１１１内に堆積した異物１２０が異物返却口蓋１１２上に押し戻され、更に、扉突起部１１６が棒１１３を押すことによって異物返却口蓋１１２が矢印Ａ１方向に回動するため、異物返却口蓋１１２上の異物１２０が異物返却口ダクト１１５へ押し戻される。従って、異物返却口トレイ１１１内の異物１２０が異物返却口ダクト１１５へ押し戻されることによって、異物返却口扉１１０が回動する範囲に異物１２０が残らないようにすることができ、異物返却口扉１１０が回動するためのスペース（空間）を確実に確保することが可能である。そして、異物返却口扉１１０を確実に開くことができるため、図４の右側から指１２１を挿入することによって異物返却口トレイ１１１内の異物１２０を確実に取り除くことが可能である。
【００３２】
以上説明したように第１の実施形態によれば、異物返却口扉１１０を開くと、扉突起部１１６が棒１１３を押すことによって、異物返却口蓋１１２が上方に回動して開口部１１９を塞ぐことができる。従って、開口部１１９から指１２１などが挿入されてしまうことを抑止することができる。また、異物返却口扉１１０を開くと、異物返却口トレイ１１１内の異物１２０が異物返却口蓋１１２上に押し戻され、更に異物返却口蓋１１２が上方に回動することによって異物１２０が異物返却口ダクト１１５へ押し戻される。従って、大量の異物１２０が異物返却口トレイ１１１内に入った場合であっても、異物返却口扉１１０が開くスペースを確保することができ、異物返却口トレイ１１１内の異物１２０を除去することが可能となる。
【００３３】
＜２．第２の実施形態＞
次に、本発明の第２の実施形態について説明する。図５は、第２の実施形態に係る異物除去機構１００の構成を説明するための断面図であって、図２と同様に、図１の一転鎖線Ｉ−Ｉ’に沿った断面を示す概略断面図である。
【００３４】
第２の実施形態に係る異物除去機構１００の基本的な構成は、第１の実施形態と同様である。図５に示すように、第２の実施形態では、異物返却口蓋１１２の長さＬを第１の実施形態よりも短くしている。換言すれば、第２の実施形態では、蓋シャフト１１８から異物返却口蓋１１２の先端までの長さＬを第１の実施形態よりも短くしている。
【００３５】
このような構成にすることで、異物返却口トレイ１１１内に大量の異物１２０が落下してきた場合に、第１の実施形態と比較すると、更に容易に異物返却口扉１１０を開くことが可能となる。
【００３６】
図６は、第１の実施形態において、異物返却口トレイ１１１内に大量の異物１２０が落下してきた場合を示している。図６に示すように、大量の異物１２０が異物返却口トレイ１１１内に入ると、異物返却口扉１１０の可動範囲が小さくなり、一度に異物返却口トレイ１１１内の異物１２０を取り出すことができなくなる事態が想定される。特に、図６に示すように、異物１２０が縦に並んだ状態が発生した場合に異物返却口扉１１０を開くと、縦に並んだ異物１２０が異物返却口扉１１０と異物返却口蓋１１２の間に挟まれた状態となり、異物返却口扉１１０を少ししか開くことができない事態が想定される。
【００３７】
一方、異物返却口蓋１１２の長さＬを短くした第２の実施形態によれば、図６と同様に異物１２０が縦に並んだ状態が発生した場合であっても、異物返却口蓋１１２の先端が縦に並んだ異物１２０と当接してしまうことがなく、異物返却口扉１１０と異物返却口蓋１１２の間に異物１２０が挟まれしまう事態を確実に抑止できる。図５に示す状態において、異物返却口扉１１０が開かれると、異物１２０が縦に並んだ状態が生じていたとしても、異物返却口蓋１１２の軌跡と重なっている異物１２０ａは異物返却口蓋１１２に押されて矢印Ａ３方向に倒れる。これによって、縦に並んだ異物１２０は異物返却口に向かって押し出される。このとき、異物返却口扉１１０の回転中心からの長さは、第１の実施形態よりも短いため、図６の状態が発生してしまうことを確実に回避できる。従って、異物返却口蓋１１２の長さＬを短くすることよって、大量の異物１２０が異物返却口トレイ１１１内に落下した場合であっても、異物返却口扉１１０を大きく開くことが可能となり、異物返却口トレイ１１１内の異物１２０を容易に取り除くことが可能となる。
【００３８】
以上説明したように第２の実施形態によれば、異物返却口扉１１０または異物返却口蓋１１２について、回転中心から先端までの長さを短くすることで、異物１２０が異物返却口扉１１０と異物返却口蓋１１２との間に挟まれてしまうことを抑止できる。従って、異物返却口蓋１１２をより確実に開くことが可能となり、大量の異物１２０をより確実に取り除くことが可能となる。
【００３９】
＜３．第３の実施形態＞
次に、本発明の第３の実施形態について説明する。第３の実施形態の基本的な構成は、第２の実施形態と同様である。図７は、第３の実施形態の構成を示す模式図であって、図１の矢印Ａ４方向から異物返却口トレイ１１１を見た状態を模式的に示す図である。
【００４０】
第１及び第２の実施形態と同様に、異物返却口トレイ１１１は、底面１１１ａ、および対向する側板部１１１ｂを備え、異物返却口ダクト１１５から落下してきた異物１２０が入るように構成されている。また、異物返却口ダクト１１５側には、異物返却口蓋１１２が回動可能に設けられている。
【００４１】
図７に示すように、異物返却口トレイ１１１の底面１１１ａには、断面がＬ字形状の突起１１１ｃが設けられている。突起１１１ｃは、Ｌ字形状の突起が上方に向かうように配置されている。突起１１１ｃは、側板部１１１ｂと平行に延在するように設けられている。
【００４２】
このような構成によれば、図７に示すように、異物返却口ダクト１１５から異物１２０が落下してくると、異物１２０が突起１１１ｃに接触することにより突起１１１ｃの左右に振り分けられる。そして、異物１２０を突起１１１ｃの左右に振り分けることにより、図５に示したような、異物１２０が縦に並んだ状態を作り出すことができる。換言すれば、突起１１１ｃを設けたことにより、異物返却口トレイ１１１内の異物１２０の配置状態を制御することが可能となる。そして、図５に示す状態に異物１２０を配置できるため、第２の実施形態と比較して更に確実に異物１２０を取り出すことが可能となる。
【００４３】
以上説明したように第３の実施形態によれば、突起１１１ｃを設けたことにより、図６及び図７に示すように異物１２０を縦に並べることができる。そして、第２の実施形態と同様に異物返却口蓋１１２の長さＬを短くすることによって、縦に並んだ異物１２０を確実に取り除くことが可能となる。
【００４４】
＜４．第４の実施形態＞
次に、本発明の第４の実施形態について説明する。第４の実施形態は、第１の実施形態、第２の実施形態における棒１１３、扉突起部１１６、および揺動範囲規制部材１１４を異物返却口トレイ１１１の外に配置したものである。
【００４５】
図８は、第４の実施形態に係る異物除去機構１００の構成を示す模式図である。ここで、図８（Ａ）は、異物除去機構１００の上面図を示しており、図８（Ｂ）は側面図を示している。図８（Ａ）及び図８（Ｂ）に示すように、第４の実施形態においては、棒１１３、扉突起部１１６、および揺動範囲規制部材１１４は、異物返却口トレイ１１１の側面板１１１ｂの外側に配置されている。図８（Ａ）に示すように、棒１１３は、接続部１１３ａを介して異物返却口蓋１１２と接続されている。また、扉突起部１１６は、接続部１１６ａを介して異物返却口扉１１０と接続されている。そして、図８（Ｂ）に示すように、側面板１１１ｂには、接続部１１３ａ及び接続部１１６ａが挿通する孔１１１ｄ、孔１１１ｅがそれぞれ設けられている。孔１１１ｄ、孔１１１ｅは、異物返却口扉１１０及び異物返却口蓋１１２が回動した際の接続部１１３ａ，１１６ａの軌跡に沿って設けられている。従って、棒１１３、扉突起部１１６を側面板１１１ｂの外側に配置した場合であっても、第１及び第２の実施形態と同様に、異物返却口扉１１０及び異物返却口蓋１１２を可動することが可能である。
【００４６】
第４の実施形態では、棒１１３、扉突起部１１６、および揺動範囲規制部材１１４が異物返却口トレイ１１１の外側に配置されているため、異物１２０と、棒１１３、扉突起部１１６、または揺動範囲規制部材１１４とが接触することを抑止できる。異物１２０と、棒１１３、扉突起部１１６、または揺動範囲規制部材１１４とが接触すると、異物返却口扉１１０または異物返却口蓋１１２が回動し難くなることが想定されるが、第４の実施形態では、異物１２０と、棒１１３、扉突起部１１６、または揺動範囲規制部材１１４とが接触することがないため、異物返却口扉１１０または異物返却口蓋１１２を確実かつスムーズに回動させることが可能である。
【００４７】
以上説明したように第４の実施形態によれば、棒１１３、扉突起部１１６、および揺動範囲規制部材１１４を異物返却口トレイ１１１の外側に配置したため、異物１２０と、棒１１３、扉突起部１１６、または揺動範囲規制部材１１４とが接触することを抑止でき、異物返却口扉１１０または異物返却口蓋１１２を確実かつスムーズに回動させることが可能となる。従って、異物１２０を更に容易に取り出すことが可能となる。
【００４８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４９】
１００    異物除去機構
１１０    異物返却口扉
１１１    異物返却口トレイ
１１１ａ  中心軸
１１２    異物返却蓋
１１２ａ  中心軸
１１９    開口
【図１】
0005621550.tif 000002
【図２】
0005621550.tif 000003
【図３】
0005621550.tif 000004
【図４】
0005621550.tif 000005
【図５】
0005621550.tif 000006
【図６】
0005621550.tif 000007
【図７】
0005621550.tif 000008
【図８】
0005621550.tif 000009